(57)【要約】【課題】本発明は、ピット深さが３８００ｍｍを越えるエレベーターであっても、安全に、かつ、円滑に保守作業を行うことを可能にするエレベーターのピット内保守装置の提供を目的とする。【解決手段】上記の目的は、ピット４内に設置されて保守運転時に乗りかご３の下降を停止させるリミットスイッチ９を有し、このリミットスイッチ９を保守運転時に無効にする第１のスイッチ１２を設けることによって、作業台７に上がった保守作業者Ｘが乗りかご３の下面に設けた機器類１４を保守するのに適切な位置に乗りかご３を下降させることにより、達成される。【選択図】　　　図１
2004035146.tif 000002
【特許請求の範囲】
【請求項１】
ピット内底部に立設された緩衝器の周辺に設置された作業台と、前記ピット内に設置されて保守運転時に乗りかごの下降を停止させるリミットスイッチとを少なくとも具備したエレベーターのピット内保守装置において、前記保守運転時に前記リミットスイッチを無効にする第１のスイッチを設けたことを特徴とするエレベーターのピット内保守装置。
【請求項２】
前記保守運転時に前記リミットスイッチを無効にする第１のスイッチを、前記ピット内に設けたことを特徴とする請求項１記載のエレベーターのピット内保守装置。
【請求項３】
前記リミットスイッチを無効にする第１のスイッチは、保守運転時のみ有効としたことを特徴とする請求項１若しくは２記載のエレベーターのピット内保守装置。
【請求項４】
前記第１のスイッチにより前記リミットスイッチを無効にすることで、前記乗りかごが下降してきても、前記作業台と前記乗りかごとの間の間隔寸法Ｈが１２００ｍｍより大きくなる位置に前記乗りかごを停止させる第２のスイッチを設けたことを特徴とする請求項１、２若しくは３記載のエレベーターのピット内保守装置。
【発明の詳細な説明】
【０００１】
【発明の属する技術分野】
本発明は、ピット深さが、概ね３８００ｍｍを越えるエレベーターの保守作業をするのに好適なエレベーターのピット内保守装置に関するものである。
【０００２】
【従来の技術】
従来、ピットの深いエレベーターにおけるピット内保守装置としては、特開２００１−１５１４３６号に示すように、ピット内底部に立設された緩衝器の周辺に作業台を設置し、その作業台に保守作業者が上り、乗りかごの下面等に取り付けられている秤装置などの機器類の点検の保守作業を行うようにしたものが知られている。その従来のピット内保守装置を、図２あるいは図３に基づき、次に、説明する。
【０００３】
図２において、エレベーター１００は、昇降路１０１と、この昇降路１０１内を昇降する乗りかご１０２と、昇降路１０１におけるピット１０３内の底部１０３Ａに設けられる乗りかご用緩衝器１０４及び釣り合いおもり用緩衝器１０５とを備えている。乗りかご用緩衝器１０４のシリンダー１０４Ａ上端外周には、作業台１０６が設けられている。この作業台１０６は、水平平坦部１０６Ａと、この水平平坦部１０６Ａの外周端に形成した立ち上がり部１０６Ｂとから形成される。昇降路１０１の内側壁１０１Ａには、係止金具１０７が固定される。係止金具１０７と作業台１０６とには、取り外し可能な梯子１０８が設置される。
【０００４】
この図２においては、作業台１０６と係止金具１０７と梯子１０８とによって、ピット内保守装置１０９が形成されている。このピット内保守装置１０９によって、保守作業を行うには、保守作業者Ａが梯子１０８に上り、乗りかご１０２の下面に設けた秤装置などの機器類１１０に手を伸ばして、その機器類１１０の修理、交換、点検等を行うようにすればよい。
【０００５】
図３において、図２と同一符号は、同一内容を表している。図３においては、作業台１０６と、この作業台１０６に立て掛ける梯子１０８Ａと、保守運転時に乗りかご１０２の下降を停止させるリミットスイッチ１１１と、このリミットスイッチ１１１を動作させるカム１１２とによって、ピット内保守装置１１３が形成されている。このピット内保守装置１１３によって、保守作業を行うには、作業台１０６とピット１０３内の底部１０３Ａとの間に梯子１０８Ａを立て掛けた後、その梯子１０８Ａを利用して保守作業者Ａが作業台１０６に上がり、その後、作業台１０６上から乗りかご１０２の下面に設けた秤装置などの機器類１１０に保守作業者Ａが手を伸ばして、その機器類１１０の修理、交換、点検等を行うようにすればよい。
【０００６】
【発明が解決しようとする課題】
図２に示す従来例の場合では、保守作業者Ａの足場が梯子１０８Ａであるため、保守作業の体勢が不安定になりやすく、安全性に乏しいとともに、保守作業の体勢に気を取られて保守作業性が悪くなってしまうという問題点があった。
【０００７】
図３に示す従来例の場合では、作業台１０６上から乗りかご１０２の下面に設けた機器類１１０に保守作業者Ａが手を伸ばして保守作業をするために、保守運転により乗りかご１０２を下降させると、リミットスイッチ１１１により、乗り場の床面１１４より若干下がった位置で乗りかご１０２が必ず停止してしまうので、ピット深さが３８００ｍｍを越えるエレベーターにあっては乗りかご１０２の下面に設けた機器類１１０と保守作業者Ａが伸ばした手との間の距離Ｈ１が大きく設定された状態となってしまい、乗りかご１０２の下面に設けた機器類１１０の保守作業ができないという問題点があった。
【０００８】
本発明の目的は、上記問題点にかんがみ、安全に、かつ、円滑に保守作業を行うことのできるエレベーターのピット内保守装置を提供することにある。
【０００９】
【課題を解決するための手段】
上記目的は、ピット内底部に立設された緩衝器と、この緩衝器の周辺に設置された作業台と、前記ピット内に設置されて保守運転時に乗りかごの下降を停止させるリミットスイッチとを少なくとも具備したエレベーターのピット内保守装置において、前記保守運転時に前記リミットスイッチを無効にする第１のスイッチを設ける構成とすることにより、達成できる。
【００１０】
この構成によれば、第１のスイッチでリミットスイッチを無効にすることにより、作業台に上がった保守作業者が手を伸ばして乗りかごの下面に設けた機器類を保守するのに適切な位置に、乗りかごを設置せることができる。
【００１１】
【発明の実施の形態】
以下，本発明のエレベーターのピット内保守装置の実施形態を図１に基づいて説明する。
【００１２】
図１において、エレベーター１は、昇降路２と、この昇降路２内を昇降する乗りかご３と、昇降路２におけるピット４内の底部４Ａに設けられる乗りかご用緩衝器５及び釣り合いおもり用緩衝器６とを備えている。乗りかご用緩衝器５のシリンダー５Ａ上端外周には、作業台７が設けられている。この作業台７は、水平平坦部７Ａと、この水平平坦部７Ａの外周端に形成した立ち上がり部７Ｂとから形成される。
【００１３】
作業台７には、ピット４内の底部４Ａから作業台７の水平平坦部７Ａ上に上がるための、取り外し自在の梯子８が設けられる。梯子８の上端部は、作業台７の立ち上がり部７Ｂに係止可能な構造にしてある。ピット４内の側壁４Ｂ部分の所定の位置には、保守運転時に乗りかご３の下降を停止させるリミットスイッチ９が設けられている。
【００１４】
乗りかご３の外周には、カム１０が取り付けられている。カム１０は、保守運転時に乗りかご３が所定の位置まで下降すると、リミットスイッチ９を作動させてそのリミットスイッチ９を開放させるものである。リミットスイッチ９が開放すると、乗りかご３を下降させる電気回路が開放状態となり、乗り場の床面１１よりも若干下がった位置で乗りかご３が停止させられる。
【００１５】
ピット４内の側壁４Ｂには、第１のスイッチ１２が設けられる。この第１のスイッチ１２は、保守運転時にリミットスイッチ９を無効にすることで、乗りかご３を下降させる電気回路を閉成状態として、乗りかご３を乗り場の床面１１よりも若干下がった位置からさらに下降させる機能を有している。図１の実施形態例では、作業台７の上で保守作業者Ｘが垂直に立った状態で乗りかご３の下面に設けた機器類１４に保守作業者Ｘの手が届く体勢が可能な位置まで、第１のスイッチ１２を操作することにより、乗りかご３を下降させている。そして、第１のスイッチ１２は、図１に示すように、ピット４内の底部４Ａに降りた保守作業者Ｘがその第１のスイッチ１２を操作するのに便利な位置に設置されている。
【００１６】
また、第１のスイッチ１２は、保守運転時のみ有効として、通常運転時は無効とするようにしてある。したがって、通常運転時には、第１のスイッチ１２を操作しても、リミットスイッチ９が無効になることなく、乗りかご３が所定の位置まで下降すると、そのリミットスイッチ９が作動して乗り場の床面１１よりも若干下がった位置で乗りかご３が停止させられ、乗りかご３の過下降状態が発生することがない。
【００１７】
ピット４内の側壁４Ｂには、乗りかご３の下降を阻止しえる第２のスイッチ１３が設けられる。この第２のスイッチ１３は、図１に示すように、リミットスイッチ９の下方に位置しており、乗りかご３が下降してくるとその乗りかご３の外周に取り付けられているカム１０により作動して、乗りかご３を下降させる電気回路を開放状態とすることで、乗りかご３を停止させるものである。図１の実施形態例では、第２のスイッチ１３により、作業台７と乗りかご３との垂直方向の距離Ｈ、換言すれば、作業台７と乗りかご３との間の間隔寸法Ｈが、１２００ｍｍより大きくなる位置に乗りかご３を必ず停止させて、作業台７に上がった保守作業者Ｘの安全性を確保している。図１の実施形態例では、作業台７と、梯子８と、リミットスイッチ９と、第１のスイッチ１２と、第２のスイッチ１３とにより、ピット内保守装置１５を形成している。
【００１８】
上記構成のピット内保守装置１５を使用して、乗りかご３の下面に設けた機器類１４の保守作業を行うには、次の手順で行えばよい。
【００１９】
まず、始めに、保守作業者Ｘがピット４内に入り、乗りかご３の保守運転を行い、乗りかご３を下降させる。
【００２０】
乗りかご３が下降して、乗りかご３の外周に取り付けられたカム１０によりリミットスイッチ９が作動させられると、乗りかご３が乗り場の床面１１よりも若干下がった位置で停止させられる。この状態になったならば、第１のスイッチ１２を操作して、リミットスイッチ９を無効にすることで、作業台７と乗りかご３との間の間隔寸法Ｈが、作業台７に上がった保守作業者Ｘが乗りかご３の下面に設けた機器類１４を保守することが可能となる寸法となるまで、乗りかご３を下降させる。
【００２１】
その後、梯子８を利用して作業台７に上がった保守作業者Ｘは、乗りかご３の下面に設けた機器類１４の点検、修理、交換などの作業を行う。これらの作業が終了したならば、保守作業者Ｘは、梯子８を利用してピット４内の底部４Ａに下りて、梯子８を片付けるとともに、第１のスイッチ１２を操作して、リミットスイッチ９を有効にすることで、乗りかご３の通常運転が可能な状態とすれば、保守作業は終了する。
【００２２】
梯子８の片付けは、ピット４内の底部４Ａの隅に倒して置いてもよいし、保守作業者Ｘがピット４内から外に出る際に、持ち出して、別の保管場所の収納するようにしてもよい。
【００２３】
上記ピット内保守装置１５では、リミットスイッチ９を無効にして、乗りかご３を下降させても、その作業台７と乗りかご３との間の間隔寸法Ｈが１２００ｍｍに近づくと、第２のスイッチ１３が作動して、乗りかご３の下降が阻止され、乗りかご３と作業台７との垂直方向の距離Ｈが１２００ｍｍ以下とならないようにしてあるので、作業台７における垂直方向の作業スペースを確実に難なく確保することができる。
【００２４】
また、第１のスイッチ１２を操作して、乗りかご３の下降距離を調整することで、保守作業者Ｘの身長に合わせて、作業台７と乗りかご３との間の間隔寸法Ｈを、作業台７の上で保守作業者Ｘが保守作業をするのに最適な値に設定することが可能で、保守作業者Ｘは安全な体勢で保守作業を行うことができる。そして、作業台７の上で保守作業者Ｘが垂直に立った状態で乗りかご３の下面に設けた機器類１４に保守作業者Ｘの手が届く体勢とすること、あるいは、作業台７の上で保守作業者Ｘが膝を折り曲げた状態で乗りかご３の下面に設けた機器類１４に保守作業者Ｘの手が届く体勢とすることが可能であるので、保守作業の内容に応じて保守作業のやりやすい体勢に変えることができ、安全で円滑な保守作業を行いえる。
【００２５】
さらに、本実施形態のピット内保守装置１５は、図３に示す従来のピット内保守装置１１３に、第１のスイッチ１２と第２のスイッチ１３を追加することで簡単に構成することができるものであって、しかも、従来の作業台１０６をそのまま利用できるものであり、利便性に優れている。
【００２６】
【発明の効果】
以上のように、発明によれば、ピット深さが３８００ｍｍを越えるエレベーターであっても、リミットスイッチを無効にすることによって、作業台に上がった保守作業者が乗りかごの下面に設けた機器類を保守するのに適切な位置に乗りかごを設置させることができるので、保守作業の体勢が不安定になることなく、安全で円滑な保守作業を確実に可能ならしめるエレベーターのピット内保守装置がえられた。
【図面の簡単な説明】
【図１】本発明の一実施形態を示し、エレベーターのピット内保守装置の説明図である。
【図２】従来例その１を示し、エレベーターのピット内保守装置の説明図である。
【図３】従来例その２を示し、エレベーターのピット内保守装置の説明図である。
【符号の説明】
１　　エレベーター
２　　昇降路
３　　乗りかご
４　　ピット
４Ａ　底部
４Ｂ　側壁
５　　乗りかご用緩衝器
５Ａ　シリンダー
６　　釣り合いおもり用緩衝器
７　　作業台
７Ａ　水平平坦部
７Ｂ　立ち上がり部
８　　梯子
９　　リミットスイッチ
１０　カム
１１　乗り場の床面
１２　第１のスイッチ
１３　第２のスイッチ
１４　機器類
１５　ピット内保守装置
Ｈ　　作業台と乗りかごとの間の間隔寸法
Ｘ　　保守作業者
【図１】
2004035146.tif 000003
【図２】
2004035146.tif 000004
【図３】
2004035146.tif 000005